(57)【要約】      （修正有）【課題】小売店等の店舗において種々の情報を表示するための表示装置を提供する。【解決手段】第一分割板３と第二分割板４を相互にヒンジ５を介して合掌自在かつ展開自在に連結すると共に、両分割板の外側面を覆う透明又は半透明のフィルム６を設けており、該フィルムと各分割板の間に情報シートを挟持可能に構成している。両分割板は、展開状態で大型表示ボードを形成し、半開き状態で据置き表示ボードを形成し、合掌することにより小型表示ボードを形成する。【選択図】  図２
2007127695.tif 000002
【特許請求の範囲】
【請求項１】
第一分割板(3)と第二分割板(4)を相互にヒンジ(5)を介して合掌自在かつ展開自在に連結すると共に、両分割板の外側面を覆う透明又は半透明のフィルム(6)を設け、該フィルムと各分割板の間に情報シート(M)を挟持可能に構成され、
ヒンジ(5)を介して両分割板(3)(4)を展開することにより大型表示ボード(B1)を形成し、両分割板(3)(4)を半開き状態とすることにより据置き表示ボード(B3)を形成し、両分割板(3)(4)を合掌することにより小型表示ボード(B2)を形成する構成であり、
大型表示ボード(B1)を形成した状態で、両分割板を展開状態に保持する展開保持手段(34)と、該大型表示ボード(B1)を吊下げ自在とする吊持手段(42)とを備え、
据置きボード(B3)を形成した状態で、両分割板を半開き状態に保持する半開き保持手段(36)を備え、
小型表示ボード(B2)を形成した状態で、該小型表示ボードを吊下げ自在とする吊持手段(42)を備えて成ることを特徴とする表示装置。
【請求項２】
小型表示ボード(B2)は、合掌された第一分割板(3)と第二分割板(3)の間に収納室を区成する偏平な箱体(P)を形成し、前記展開保持手段(34)と、半開き保持手段(36)と、吊持手段(42)のうち少なくとも一つを収納室に収納可能に構成されて成ることを特徴とする請求項１に記載の表示装置。
【請求項３】
小型表示ボード(B2)を形成する偏平箱体(P)の収納室に多目的板(27)を収納しており、該多目的板(27)は、フォーク部(37)とクリップ部(38、39)を備えており、
小型表示ボード(B2)の外部から該小型表示ボードに形成した挿入路(15)にフォーク部(37)を挿着することにより、多目的板(27)を小型表示ボードを支持する支柱手段(44)として機能せしめ、
クリップ部(38、39)に情報シートを挟持することにより、多目的板(27)を単独使用による表示支持部材として機能せしめることができるように構成されて成ることを特徴とする請求項１又は２に記載の表示装置。
【発明の詳細な説明】
【技術分野】
【０００１】
本発明は、小売店等の店舗において、商品表示や、販促表示、その他、種々の情報を表示するための表示装置に関する。
【背景技術】
【０００２】
従来、小売店等の店舗では、顧客の便宜のため、或いは販売促進のために、種々の情報を記載した表示シートを設置しているが、ほとんどの場合、それぞれの店舗における独自の工夫に依存している。
【０００３】
例えば、表示シートを接着テープで商品の包装ケースに貼着したり、表示シートを保持したクリップを紐で吊下げたり、或いは、厚紙を切断した支持片を積み上げられた商品の包装ケースの間に差し込み、該支持片に表示シートを貼着するようなことは、全て、店舗の店員が工夫することにより行われている。
【０００４】
そこで、本出願人は、ＣＤ等の販売店又はレンタルショップにおける販促用等の情報表示装置を種々提案してきたが、例えば、ＤＩＹショップ等において上述のような工夫を要しているという憂慮すべき事態に鑑み、多目的に使用可能な表示装置の提供に貢献しようとするものである。
【特許文献１】特開２００４−２１５８６９公報
【特許文献２】特開２００３−３０８０１４公報
【特許文献３】特開２００３−２０８１１７公報
【特許文献４】特開２００２−８２６２１公報
【発明の開示】
【発明が解決しようとする課題】
【０００５】
上述のような多目的に使用可能な表示装置を提供するに際しては、従来、多くの店舗において工夫され、すでに行われている表示方法に可及的適合させることが好ましい。このような従来方法は、店員が慣れているため、特に使用方法の説明書を詳細に読んで理解しなくてもよいからである。
【０００６】
このため、一つの表示装置でありながら、従来から慣れ親しみのある種々の方法を自在に選択することにより使用できることが好ましく、これが発明の最大の課題となる。
【課題を解決するための手段】
【０００７】
本発明は、上記課題を解決した表示装置を提供するものであり、その手段として構成したところは、第一分割板と第二分割板を相互にヒンジを介して合掌自在かつ展開自在に連結すると共に、両分割板の外側面を覆う透明又は半透明のフィルムを設け、該フィルムと各分割板の間に情報シートを挟持可能に構成され、ヒンジを介して両分割板を展開することにより大型表示ボードを形成し、両分割板を半開き状態とすることにより据置き表示ボードを形成し、両分割板を合掌することにより小型表示ボードを形成する構成であり、大型表示ボードを形成した状態で、両分割板を展開状態に保持する展開保持手段と、該大型表示ボードを吊下げ自在とする吊持手段とを備え、据置きボードを形成した状態で、両分割板を半開き状態に保持する半開き保持手段を備え、小型表示ボードを形成した状態で、該小型表示ボードを吊下げ自在とする吊持手段を備えて成る点にある。
【０００８】
小型表示ボードは、合掌された第一分割板と第二分割板の間に収納室を区成する偏平箱体を形成し、前記展開保持手段と、半開き保持手段と、吊持手段のうち少なくとも一つを収納室に収納可能に構成されている。
【０００９】
小型表示ボードを形成する偏平箱体は、収納室に多目的板を収納しており、該多目的板は、フォーク部とクリップ部を備えている。そこで、小型表示ボードの外部から該小型表示ボードに形成した挿入路にフォーク部を挿着することにより、多目的板を小型表示ボードを支持する支柱手段として機能せしめることができる。また、クリップ部に情報シートを挟持することにより、多目的板を単独使用による表示支持部材として機能せしめることができる。
【発明の効果】
【００１０】
請求項１に記載の本発明によれば、表示装置は、一つの表示体１でありながら、大型表示ボードＢ１と、据置き表示ボードＢ３と、小型表示ボードＢ２の３種類を任意に形成することができる。そして、大型表示ボードＢ１は、展開保持手段３４により展開状態を保持された状態で、吊持手段４２によりハンガーボード壁その他の構築物等に吊下げ表示することができる。また、据置き表示ボードＢ３は、半開き保持手段３６により半開き状態に保持された状態で、適宜、商品の包装ケースや、陳列棚等に据置くことにより表示することができる。更に、小型表示ボードＢ２は、偏平な箱体Ｐを形成した状態で、吊持手段４２によりハンガーボード壁その他の構築物等に吊下げ表示することができる。尚、多目的板と組み合わせれば、小型表示ボードＢ２を据置き型として使用可能になる。
【００１１】
請求項２に記載の本発明によれば、小型表示ボードＢ２が収納室を区成する偏平箱体Ｐを形成するので、展開保持手段３４や、半開き保持手段３６や、吊持手段４２等を収納室に収納することができ、これらの手段を紛失の虞れなく、表示装置と一体状態で一元的に保管できるという利点がある。
【００１２】
請求項３に記載の本発明によれば、偏平箱体Ｐの収納室に多目的板２７を収納しているので、該多目的板２７を表示ボードの支持手段４４として使用する他、それ自体を単独で情報シートの表示支持部材として使用することができる。
【発明を実施するための最良の形態】
【００１３】
以下図面に基づいて本発明の好ましい実施形態を詳述する。
【００１４】
図１及び図２に示すように、表示体１は、背壁２の両側に第一分割板３と第二分割板４を相互に薄肉のヒンジ５、５を介して合掌自在かつ展開自在に連結したものとして、合成樹脂により一体成形されており、両分割板の外側面を覆う透明又は半透明のフィルム６を設け、該フィルム６と各分割板３、４の間に情報シートＭを挟持可能とする隙間Ｓ、Ｓを形成している。図例の場合、一枚のフィルム６が背壁２と両分割板３、４の全体を覆うように配置され、該フィルム６の両端縁をそれぞれ両分割板３、４の縁部に沿って溶着６ａ、６ａしている。従って、両分割板３、４を展開したとき、図１に鎖線で示すようにフィルム６が若干弛むので、前記空間Ｓ、Ｓに一枚又は複数枚の情報シートＭを容易に挿入することができる。尚、両分割板３、４を合掌させると、フィルム６が緊張し、情報シートＭを押さえつけ保持するが、両分割板３、４を展開した状態では、フィルム６が情報シートを押さえつけず、情報シートを下方に移動して脱落する虞れがあるので、両分割板３、４の下縁には、情報シートＭの下縁を係止する係止リブ３ａ、４ａが設けられている。
【００１５】
第一分割板３及び第二分割板４は、相互に隣接する側縁を除く三方の縁に沿ってリブ壁を設けた浅い皿状に形成されている。即ち、第一分割板３は、上縁リブ壁７、下縁リブ壁８、側縁リブ壁９を備え、第二分割板４は、上縁リブ壁１０、下縁リブ壁１１、側縁リブ壁１２を備えており、ヒンジ５、５を介して両分割板３、４を合掌させたとき、一方の分割板の上縁リブ壁、下縁リブ壁、側縁リブ壁に対して、他方の分割板の上縁リブ壁、下縁リブ壁、側縁リブ壁がそれぞれ内嵌又は外嵌される。尚、図示省略しているが、リブ壁の嵌合部には、嵌着手段が設けられており、両分割板３、４を合掌した状態で、外力により引き離さない限り、合掌状態を保持される。
【００１６】
展開された両分割板３、４はほぼ矩形を表し、矩形四隅の近傍に位置して分割板の内側面には、内側に突出する台座１３ａ、１３ａ、１４ａ、１４ａが設けられている。これらの台座は、両分割板３、４のリブ壁の高さとほぼ同じ高さで突出するが、第一分割板３の台座１３ａ、１３ａと、第二分割板４の台座１４ａ、１４ａは、両分割板３、４を合掌したとき相互に干渉しないように、位置ずれした個所に設けられている。
【００１７】
両分割板３、４を合掌した状態で、相互に嵌合する側縁リブ壁９、１２から内部に向けて平行な挿入路１５、１５を形成するように、第二分割板４の側縁リブ壁１２に一対の深い切欠１６、１６を形成すると共に、第一分割板３の側縁リブ壁９に浅い切欠１７を形成している。
【００１８】
前記挿入路１５、１５は、それぞれ切欠１６、１６の両側に位置して第二分割板４の内側面に設けられた一対のガイドリブ１８ａ、１８ｂにより区成されている。そこで、両分割板３、４を合掌したとき、第一分割板３の切欠１７が第二分割板４の切欠１６、１６に対向し、挿入路１５、１５の開口部を形成する。この際、第一分割板３の側縁リブ壁９は、該切欠１７から外方に延びる断面ほぼＬ形の把持片１９を設けており、該把持片１９に貫通孔２０を開設している。
【００１９】
第二分割板４の内側面には、前記挿入路１５、１５に対向する第一クリップ２１、２１が一体成形されると共に、該第一クリップ２１、２１と背合わせとなるように背壁２に向けて対向する第二クリップ２２、２２が一体成形されている。
【００２０】
第一分割板３と第二分割板４は、ヒンジ５、５を介して合掌したとき、内部に収納室を区成する偏平な箱体を形成するように構成されている。このとき、嵌合する両分割板の上縁リブ壁７、１０と、下縁リブ壁８、１１には、相互に連通する連通孔２３がそれぞれのリブ壁の長手方向に間隔をあけて複数設けられている。
【００２１】
図１に示すように、収納室には、Ｓ形フック２４、紐２５、係止板２６、多目的板２７が収納されている。
【００２２】
図３に示すように、第一分割板３は、上縁リブ壁７との間で第一のＳ形フック２４ａを着脱自在に保持するための第一保持リブ２８ａと、該第一保持リブ２８ａとの間で第二のＳ形フック２４ｂを着脱自在に保持するための第二保持リブ２８ｂを設けている。従って、両分割板３、４を展開した状態で、Ｓ形フック２４は保持されており、脱落することはない。
【００２３】
図１に示すように、第一分割板３は、第三クリップ２９を設けており、紐２５を着脱自在に保持する。従って、両分割板３、４を展開した状態で、紐２５は保持されており、脱落することはない。
【００２４】
図３に示すように、背壁２の近傍個所に位置して第一分割板３には一対の係止突起３０、３０が設けられており、係止板２６を着脱孔３１、３１を介して着脱自在に保持する。従って、両分割板３、４を展開した状態で、係止板２６は保持されており、脱落することはない。係止板２６は、前記着脱孔３１、３１から該係止板２６の両端寄りに位置した個所に係止孔３２、３２を開設しており、該係止板２６の両端近傍に突起３３、３３を突設している。
【００２５】
そこで、係止板２６は、保管状態では一対の着脱孔３１、３１を係止突起３０、３０に嵌着されているが、取外した後、図４に示すように付け替えることにより、両分割板３、４を展開状態に保持する展開保持手段３４として機能する。即ち、背壁２の内側面には保持突起３５が設けられており、係止板２６の一方の端部寄りに設けられた着脱孔３１を一方の係止突起３０に嵌着した状態で、他方の端部寄りに設けられた係止孔３２を前記保持突起３５に嵌着することにより、係止板２６がヒンジ５、５を横断し、該ヒンジ５、５の折曲を阻止する展開保持手段３４を構成する。
【００２６】
また、係止板２６は、図１０に示すように、両分割板３、４を半開き状態に保持する半開き保持手段３６ａとしても機能する。即ち、ヒンジ５、５を介して両分割板３、４を半開きの状態としたとき、それぞれの分割板３、４の連通孔２３に対して係止板２６の突起３３を嵌着することにより、係止板２６が両分割板３、４に架設され、両分割体３、４を半開き状態に固定保持する。
【００２７】
図１に示すように、多目的板２７は、第二分割板４の第二クリップ２２、２２に着脱自在に保持されている。従って、両分割板３、４を展開した状態で、多目的板２７は保持されており、脱落することはない。
【００２８】
多目的板２７は、図６に示すように、一端のほぼ中央部を切欠することにより形成されたフォーク部３７、３７を備えると共に、大クリップ３８、小クリップ３９を設け、他端近傍にスリット４０を形成している。図例の場合、多目的板２７の幅方向に間隔をあけて一対の小クリップ３９、３９を設けており、多目的板２７の両側縁に沿って多数の孔４０ａを開設している。従って、多目的板２７は、表示体１から分離独立して、それ自体が情報シートを保持する表示支持部材として単独使用することが可能である。例えば、図６（Ａ）に示すように小クリップ３９、３９を上向きとして情報シートを保持させた状態で、該多目的板２７のスリット４０を設けた部分を商品の包装ケースに差し込み、該多目的板２７を保持支柱として情報シートを展示せしめる。或いは反対に、大クリップ３８を上向きとして情報シートを保持させた状態で、該多目的板２７のフォーク部３７、３７の部分を商品の包装ケースに差し込み、該多目的板２７を保持支柱として情報シートを展示せしめることもできる。更には、大小クリップ３８、３９の何れかに情報シートを保持した状態で、孔４０ａやスリット４０を介して多目的板２７を適宜の場所に吊下げることができる。この場合、吊持手段としてフック２４や紐２５を使用すれば良い。
【００２９】
ところで、多目的板２７は、保管状態では図１に示すように第二クリップ２２、２２に保持されているが、取外した後、図５に示すようにフォーク部３７、３７を外部から挿入路１５、１５に挿入することができる。このとき、挿入されたフォーク部３７、３７の先端部は、第一クリップ２１、２１に保持される。
【００３０】
〔表示体の使用形態〕
表示体１は、大型表示ボードＢ１、小型表示ボードＢ２、据置き表示ボードＢ３の３種類の使用形態を可能にする。
【００３１】
〔大型表示ボード〕
第一分割板３と第二分割板４をヒンジ５、５を介して展開した状態で、表示体１は、図７に示すような大型表示ボードＢ１を構成し、フィルム６に保持された情報シートＭを表示する。このとき、係止板２６は、図４に示す展開保持手段３４を構成しており、これにより両分割板３、４を展開状態に保持している。
【００３２】
大型表示ボードＢ１を店舗に設置する場合、種々の設置方法が可能である。例えば、台座１３ａ、１４ａに両面接着テープを設ければ、離型紙を剥離して接着剤を露出させるだけで、壁面に接着可能な接着手段４１を構成することができる。或いは、上縁リブ壁７、１０の連通孔２３を利用して紐２５を取付ければ、適宜に吊下げ可能な吊持手段４２ａを構成することができる。或いは、連通孔２３を利用してフック２４を取付ければ、適宜に吊下げ可能な吊持手段４２ｂを構成することができる。
【００３３】
〔小型表示ボード〕
第一分割板３と第二分割板４をヒンジ５、５を介して合掌した状態で、表示体１は、図８及び図９に示すような小型表示ボードＢ２を構成する。この状態で、表示体１は、偏平な箱体Ｐを構成し、フィルム６に保持された情報シートＭを半折状態で表裏両面に表示する。
【００３４】
小型表示ボードＢ２を店舗に設置する場合、種々の設置方法が可能である。例えば、図８（Ａ）に示すように、上縁リブ壁７、１０の連通孔２３を利用して紐２５を取付ければ、適宜に吊下げ可能な吊持手段４２ｃを構成することができる。或いは、連通孔２３を利用してフック２４を取付ければ、適宜に吊下げ可能な吊持手段４２ｄを構成することができる。
【００３５】
また、図８（Ｂ）に示すように、小型表示ボードＢ２を把持片１９が上向きとなるように配置し、貫通孔２０にフック２４を取付けることにより、吊下げ可能な吊持手段４２ｅを構成しても良い。或いは、同様に把持片１９を上向きとした状態で、多目的板２７の端縁を把持片１９に係止すれば、小型表示ボードＢ２をテーブルや棚等に据え置く据置き手段４３ａを構成することができる。この際、把持片１９に係止リブ１９ａを設け、多目的板２７のスリット４０を係止リブ１９ａに係止するように構成するのが好ましい。
【００３６】
更に、図９（Ａ）に示すように、小型表示ボードＢ２を把持片１９が上向きとなるように配置し、多目的板２７のスリット４０を把持片１９の係止リブ１９ａに係止させ、該多目的板２７をほぼ水平姿勢とすることにより、吊持手段４２ｆを構成することが可能である。この場合、吊持手段４２ｆを構成する多目的板２７は、商品の包装ケースの隙間に差し込んだり、上下に積層された包装ケースの間に差し込むことにより固定すれば良い。
【００３７】
或いは、図９（Ｂ）に示すように、小型表示ボードＢ２を挿入路１５、１５が下向きに開口するように配置し、多目的板２７のフォーク部３７、３７を挿入路１５、１５に装着することにより、支持手段４４ａを構成することができる。この場合も、支持手段４４ａを構成する多目的板２７は、商品の包装ケースの隙間に差し込んだり、左右に近接配置さた包装ケースの間に差し込むことにより固定すれば良い。
【００３８】
〔据置き表示ボード〕
第一分割板３と第二分割板４をヒンジ５、５を介して半開き状態にすると、表示体１は、図１０に示すような据置き表示ボードＢ３を構成し、テーブルや棚等に据え置いた状態でフィルム６に保持された情報シートＭを表示する。このとき、両分割板３、４は、上述のように係止板２６が構成する半開き保持手段３６ａにより半開き状態を保持される。或いは、両分割板３、４の内側面を紐２５により展開不能に保持することにより半開き保持手段３６ｂを構成しても良い。この場合、ループ状の紐２５は、第一分割板３の第三クリップ２９と第二分割板４の第一クリップ２１に係止される。
【図面の簡単な説明】
【００３９】
【図１】本発明の実施形態について展開された状態の内側面を示す斜視図である。
【図２】本発明の実施形態について展開された状態の外側面を示す斜視図である。
【図３】展開された内側面を一部切欠状態で示す斜視図である。
【図４】展開された内側面に展開保持手段を取付けた状態で示す斜視図である。
【図５】挿入路に多目的板のフォーク部を挿着した状態を示す斜視図である。
【図６】多目的板の１例を示し、（Ａ）は表面側を示す斜視図、（Ｂ）は裏面側を示す斜視図である。
【図７】表示体により形成した大型表示体を示す斜視図である。
【図８】表示体により形成した小型表示体を示し、（Ａ）は小型表示体を縦向き姿勢とした状態を示す斜視図、（Ｂ）は小型表示体を横向き姿勢とした状態を示す斜視図である。
【図９】表示体により形成した小型表示体を示し、（Ａ）は多目的板により吊持手段を構成した例を示す斜視図、（Ｂ）は多目的板により支持手段を構成した例を示す斜視図である。
【図１０】表示体により形成した据置き表示体を示す斜視図である。
【符号の説明】
【００４０】
１    表示体
２    背壁
３    第一分割板
４    第二分割板
５    ヒンジ
６    フィルム
１３ａ、１４ａ  台座
１５    挿入路
１６、１７  切欠
１９    把持片
２０    貫通孔
２１    第一クリップ
２２    第二クリップ
２３    連通孔
２４    フック
２５    紐
２６    係止板
２７    多目的板
２８    保持リブ
２９    第三クリップ
３０    係止突起
３１    着脱孔
３２    係止孔
３３    突起
３４    展開保持手段
３５    保持突起
３６    半開き保持手段
３７    フォーク部
３８、３９  クリップ
４０    スリット
４１    接着手段
４２    吊持手段
４３    据置き手段
４４    支持手段
Ｂ１    大型表示ボード
Ｂ２    小型表示ボード
Ｂ３    据置き表示ボード                                                       
【図１】
2007127695.tif 000003
【図２】
2007127695.tif 000004
【図３】
2007127695.tif 000005
【図４】
2007127695.tif 000006
【図５】
2007127695.tif 000007
【図６】
2007127695.tif 000008
【図７】
2007127695.tif 000009
【図８】
2007127695.tif 000010
【図９】
2007127695.tif 000011
【図１０】
2007127695.tif 000012